(57)【特許請求の範囲】
【請求項１】
上面及び下面を備えるメインフレームと、該メインフレームの上面側に前後方向へ移動可能に配設されるイジェクトプレートと、該イジェクトプレートに取り付けられるイジェクトボタンと、前記メインフレームの下面を覆うためのロアカバーとを備えたＦＤＤに用いられるＦＤＤイジェクトボタンガイド構造において、
前記イジェクトボタンの側面に前後方向に延びる溝又はスリットを設けるとともに、
前記メインフレーム又は前記ロアカバーに、前記溝又はスリット内にその一部が侵入して前記イジェクトボタンをガイドするためのガイド片を設けたことを特徴とするＦＤＤイジェクトボタンガイド構造。
【請求項２】
前記イジェクトボタンが前記イジェクトプレートの移動方向とは異なる方向の外力を受けたとき、前記ガイド片が前記イジェクトボタンを支持する支持部材として働くことを特徴とする請求項１に記載のＦＤＤイジェクトボタンガイド構造。
【請求項３】
前記ガイド片が前記メインフレーム又は前記ロアカバーから切り起こされて形成されていることを特徴とする請求項１又は２に記載のＦＤＤイジェクトボタンガイド構造。
【請求項４】
前記ガイド片が前記イジェクトボタンの底面に接触又は所定の距離を置いて対向するように形成されていることを特徴とする請求項１乃至３のいずれかに記載のＦＤＤイジェクトボタンガイド構造。
【発明の詳細な説明】
【０００１】
【発明の属する技術分野】
本発明は、フレキシブルディスクドライブ（ＦＤＤ）に関し、特にそのイジェクトボタンのガイド構造に関する。
【０００２】
【従来の技術】
周知のように、フレキシブルディスクドライブ（以下、「ＦＤＤ」とも略称する。）は、それに挿入されたフレキシブルディスク（以下、「ＦＤ」とも略称したり、「メディア」とも称する。）の円板状磁気記録媒体に対してデータの記録再生を行うための装置である。そして、このようなフレキシブルディスクドライブは、ラップトップ・パソコンやノート型パソコン、あるいはノート型ワープロ等の携帯型電子機器に搭載される。
【０００３】
従来のフレキシブルディスクドライブは、フレキシブルディスクの磁気記録媒体に対してデータの読出し／書込みを行う磁気ヘッド、この磁気ヘッドをフレキシブルディスクに対して所定の半径方向に沿って移動可能に先端で支持するキャリッジアセンブリ、このキャリッジアセンブリを上記所定の半径方向に沿って移動させるステッピングモータ、フレキシブルディスクを保持しつつ磁気記録媒体を回転駆動するスピンドルモータ等のＤＤ（ダイレクトドライブ）モータ、及びこれらを搭載するためのメインフレーム等を有している。
【０００４】
従来のフレキシブルディスクドライブは、メディアを回転駆動させるスピンドルモータを搭載する専用のモーターフレームをも備えていた。これは、スピンドルモータの回転速度を検出するために周波数発生パターンをプリント配線基板上に形成する必要があり、このプリント配線基板を直接メインフレームに取り付けるよりも、別のフレーム上に設けた方が都合がよかったからである。そのため、従来のフレキシブルディスクドライブは部品点数が多く、組立て工数も多いという問題があった。この問題を解決するために、本出願人は、周波数発生パターンを使用することなく、スピンドルモータの回転速度を制御する方法を既に提案し（特開２００１−１７８１８５号公報参照）、さらに、スピンドルモータを搭載するモータフレーム部分をメインフレームと一体に１ピースで構成したフレキシブルディスクドライブも既に提案（特開２００１−１８４７７４号公報参照）している。
【０００５】
次に、図１及び図２を参照して、上記提案したフレーム構造を有する３．５インチ型フレキシブルディスクドライブについて説明する。図１は、その主要部の分解斜視図、図２は、図１の構成にロアカバー及びフロントパネルを取り付けた状態を前面側からみた斜視図である。
【０００６】
図示のフレキシブルディスクドライブは、３．５インチ型フレキシブルディスクを駆動するための装置である。挿入されたフレキシブルディスクは、図１及び図２の矢印Ａに示す方向からフレキシブルディスクドライブ中に挿入される。挿入されたフレキシブルディスクは、ディスクテーブル１１上に、その回転軸１１ａとフレキシブルディスクの中心軸とが一致した状態で保持される。後述するように、ディスクテーブル１１はメインフレーム１３の表面上で回転自在に支持されている。従って、ディスクテーブル１１の回転軸１１ａの軸方向Ｂは、メインフレーム１３の厚み方向（上下方向）と平行になっている。ディスクテーブル１１は、後述するようにメインフレーム１３の凹部に設けられたスピンドルモータ（ＤＤモータ）３００によって回転駆動され、これによってフレキシブルディスクの磁気記録媒体が回転する。また、メインフレーム１３の裏面には、多数の電子部品が搭載された１以上のプリント配線基板（図３参照）が取り付けられている。
【０００７】
フレキシブルディスクドライブは、フレキシブルディスクの磁気記録媒体に対してデータの読出し／書込みを行うための上下一対の磁気ヘッド１４（上側磁気ヘッドのみを図示する）を備えている。磁気ヘッド１４は、フレキシブルディスクドライブの背面側に設けられたキャリッジアセンブリ１５にその先端で支持されている。すなわち、キャリッジアセンブリ１５は、上側磁気ヘッド１４を支持する上側キャリッジ１５Ｕと下側磁気ヘッドを支持する下側キャリッジ１５Ｌとを有する。キャリッジアセンブリ１５は、メインフレーム１３の表面上で後述するようにメインフレーム１３から離隔して配置されており、磁気ヘッド１４をその先端でフレキシブルディスクに対して所定の半径方向（図１及び図２の矢印Ｃで示す方向）に沿って移動可能に支持している。
【０００８】
また、メインフレーム１３の背面側の側壁１３１には、ステッピングモータ１６が固定されている。ステッピングモータ１６はキャリッジアセンブリ１５を所定の半径方向Ｃに沿ってリニアに駆動する。詳細に説明すると、ステッピングモータ１６は所定の半径方向Ｃと平行に延在する回転軸（駆動軸）１６１を有し、この回転軸１６１には雄ネジが切られている。この回転軸１６１の先端１６１ａは、メインフレーム１３の表面から切り起こしにより立設された曲げ部１３２に空けられた穴１３２ａを貫通し、スチールボール１６２が設けられる。この穴１３２ａとスチールボール１６２とによって、回転軸１６１は所定の半径方向Ｃと平行に延在するように規制され、かつその先端１６１ａは回転可能に保持される。
【０００９】
一方、キャリッジアアセンブリ１５は、下側キャリッジ１５Ｌから回転軸１６１まで延在したアーム１５１を有し、このアーム１５１の先端１５１ａは回転軸１６１の雄ネジの谷の部分に係合する。一方、このアーム１５１と実質的に平行に下側キャリッジ１５Ｌからバネ１５５が延在している。すなわち、アーム１５１とバネ１５５とによってステッピングモータ１６の回転軸１６１を挟んでいる。
【００１０】
従って、ステッピングモータ１６の回転軸１６１が回転すると、このアーム１５１の先端１５１ａが回転軸１６１の雄ネジの谷の部分に沿って動かされ、これによってキャリッジアセンブリ１５自体が所定の半径方向Ｃに沿って移動する。とにかく、ステッピングモータ１６はキャリッジアセンブリ１５を所定の半径方向Ｃに沿ってリニアに移動させるための駆動手段として働く。
【００１１】
ステッピングモータ１６の回転軸１６１がキャリッジアセンブリ１５の一方の側に設けられているので、キャリッジアセンブリ１５の一方の側はこの回転軸１６１によってメインフレーム１３から離隔した状態で、移動可能に支持される。しかしながら、この回転軸１６１による支持だけでは、キャリッジアセンブリ１５全体をメインフレ−ム１３の表面から離隔して配置することはできない。そのため、ガイドバー１７によって、キャリッジアセンブリ１５の他方の側でキャリッジアセンブリ１５を支持しながら案内する。ガイドバー１７はキャリッジアセンブリ１５を間に挟んで、ステッピングモータ１６の回転軸１６１とは逆側に設けられている。ガイドバー１７は所定の半径方向Ｃに対して平行に延在し、メインフレーム１３の表面上で一端１７１および他端１７２が後述するように固定され、キャリッジアセンブリ１５を所定の半径方向Ｃに沿って案内する。これによって、キャリッジアセンブリ１５全体がメインフレーム１３の表面から離隔して配置される。
【００１２】
尚、キャリッジアセンブリ１５からこのガイドバー１７側へフレキシブル・プリンテッド・サーキット（ＦＰＣ）１５２が延在しており、このＦＰＣ１５２はメインフレーム１３の裏面に取り付けられたメインプリント配線基板（後述する）に電気的に接続される。
【００１３】
ガイドバー１７はメインフレーム１３の表面でガイドバークランプ１８によって挟持されている。ガイドバークランプ１８はその中央部でメインフレーム１３の表面にバインド子ネジ１９によって固定されている。詳細に説明すると、ガイドバークランプ１８はガイドバー１７より少しだけ長い矩形固定部材１８０を有し、矩形固定部材１８０のほぼ中央にはバインド子ネジ１９のネジ軸１９０が通過できる程度の穴１８０ａが穿設されている。矩形固定部材１８０の一端１８０ｂおよび他端１８０ｃからは、それぞれ、ガイドバー１７の一端１７１および他端１７２を挟持するための一対のアーム１８１および１８２が延在している。
【００１４】
ガイドバークランプ１８は単にガイドバー１７を挟持しているだけなので、これだけではガイドバー１７をメインフレーム１３の表面に固定することはできない。このために、ガイドバー１７の両端１７１および１７２の位置を規制するための一対の位置決め部材が必要である。この一対の位置決め部材としては、メインフレーム１３の一部をメインフレーム１３の表面側に切り起こして形成した一対の曲げ部２０１および２０２を使用している。
【００１５】
キャリッジアセンブリ１５の下側キャリッジ１５Ｌは、キャリッジアセンブリ１５をガイドバー１７に沿って摺動可能に支持する支持枠としても働く。下側キャリッジ１５Ｌはガイドバー１７側へ突出した突出部（図示せず）を有し、この突出部中にガイドバー１７が摺動可能に嵌入されている。
【００１６】
フレキシブルディスクドライブは、イジェクトプレート２１とディスクホルダ２２とを更に有する。メインフレーム１３、イジェクトプレート２１、及びディスクホルダ２２は、金属板に打抜き加工、プレス加工、曲げ加工等を施すことにより形成される。
【００１７】
イジェクトプレート２１は、フレキシブルディスクの挿入方向Ａおよびその逆方向（前後方向）に沿ってスライド自在なように、メインフレーム１３上に備えられている。イジェクトプレート２１は、後述するように、フレキシブルディスクドライブの作動時に、ディスクホルダ２２と協働してフレキシブルディスクを保持する。また、イジェクトプレート２１は、フレキシブルディスクを挿入方向Ａに沿ってフレキシブルディスクドライブ内に挿入することを可能とし、或いはフレキシブルディスクを挿入方向Ａと逆方向に沿ってフレキシブルディスクドライブ内からの取り出すことを可能とするために、挿入方向Ａに沿ってフレキシブルディスクが摺動自在なようにフレキシブルディスクを保持する。イジェクトプレート２１には、互いに対向する一対の側壁２１０が形成されている。この両側壁２１０の各々には、一対のカム部２１１が形成されている。また、イジェクトプレート２１の底面には、両側壁２１０に沿って切抜き部２１２が形成され、イジェクトプレート２１の底面中央部には、ディスクテーブル１１を取り囲むように略Ｕ字状の切欠き部２１３が形成されている。更に、イジェクトプレート２１の下面には、ピンが設けられており、このピンは、イジェクトレバーの係止部と係合する。
【００１８】
ディスクホルダ２２は、イジェクトプレート２１上に配置されている。ディスクホルダ２２には、主表面２２０と、この主表面２２０の両側端で互いに対向した一対の側壁２２１が形成されている。この両側壁２２１には、それぞれ突片２２２（一方のみ図示）が形成されている。これらの突片２２２は、イジェクトプレート２１の切抜き部２１２を通じてメインフレーム１３の穴１３３内に挿通される。この突片２２２がメインフレーム１３の穴１３３内に挿通されることにより、ディスクホルダ２２は、メインフレーム１３に対する挿入方向Ａの位置が決められるのと同時に、ディスクホルダ２２は、ディスクテーブル１１の回転軸１１ａの軸方向Ｂに沿って往復動自在となる。また、両側壁２２１の各々には、一対のピン２２３が設けられている。このピン２２３は、イジェクトプレート２１の側壁２１０に形成されたカム部２１１内に挿通される。ディスクホルダ２２とイジェクトプレート２１との間には、イジェクトバネ２３が架設されている。
【００１９】
尚、本例の場合、ディスクホルダ２２に突片２２２を設け、メインフレーム１３に穴１３３を設けてあるが、これに限らず、メインフレームに突片を設け、ディスクホルダに穴を設けて構わない。
【００２０】
また、ディスクホルダ２２は、その挿入方向Ａの奥側中央部に、キャリッジアンセンブリ１５の上側キャリッッジ１５Ｕと対応する位置に、所定の半径方向Ｃに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。一方、キャリッジアンセンブリ１５は、側方に延びる一対の側方アーム１５３を備え、この側方アーム１５３は盛り上がり縁２２５の上に位置する。後述するように、フレキシブルディスクがディスクホルダ２２からイジェクトされた状態では、この側方アーム１５３が盛り上がり縁２２５と係合し、これによって上下一対の磁気ヘッド１４同士が互いに離される。さらに、ディスクホルダ２２は、その挿入方向Ａの奥側で開口部２２４から右よりに、後述するイジェクトレバーのレバー部の回動を許すような形状の開口部２２６も有している。
【００２１】
メインフレーム１３上には、キャリッジアセンブリ１５の近傍に、イジェクトレバー２４が回動自在に設けられている。詳細に述べると、メインフレーム１３には、その表面から上方に延びるロッド状ピン１３４が立設している。イジェクトレバー２４は、ロッド状ピン１３４が嵌め込まれる筒状部２４０と、この筒状部２４０から径方向に延在するアーム部（レバー部）２４１と、このアーム部２４１の自由端に設けた上方に延在する突起部２４２と、アーム部２４１の自由端側から周方向に延びる円弧状の係止部２４３とを有している。イジェクトレバー２４には、筒状部２４０の周りにイジェクトレバーバネ２５が装着され、このイジェクトレバーバネ２５は、イジェクトレバー２４を図面上、反時計回りに付勢している。イジェクトレバー２４の突起部２４２は上記ディスクホルダ２２の開口部２２６に遊嵌されている。また、この突起部２４２は、後述するフレキシブルディスクのシャッタの右側上端縁と係合して、シャッタの開閉を制御する。尚、ロッド状ピン１３４の先端には、図２に示されるように、ネジ２６が捩じ込まれており、これによってイジェクトレバー２４がロッド状ピン１３４から抜けるのを防止している。
【００２２】
また、図２に示すように、メインフレーム１３の下面側には、ロアケース７０が取り付けられている。さらに、メインフレームの前端部には、フロントパネル２７が取り付けられている。フロントパネル２７は、フレキシブルディスクを出し入れする開口２７１と、この開口２７１を開閉する扉２７２とを備えている。また、このフロントパネル２７には、イジェクトボタン２８を部分的に外部へ突出させるための角穴２９が形成されている。図１に示すように、イジェクトボタン２８は、イジェクトプレート２１の前端で前方に突き出ている突起部２１４に嵌め込まれている。
【００２３】
次に、図３を参照して、図１および図２に示されたフレキシブルディスクドライブに使用されるメインフレーム１３について説明する。図３はメインフレーム１３を斜め側方下方から見た斜視図である。
【００２４】
図３から明らかなように、図示のメインフレーム１３は、フレキシブルディスクが挿入されるメインフレーム部分１３−１と、この挿入されたフレキシブルディスクを回転駆動するためのスピンドルモータ３００を搭載するモータフレーム部分１３−２とを一体に１ピースで構成されている。つまり、メインフレーム１３はモータフレームを兼ねる。
【００２５】
ここで、モータフレーム部分１３−２は、絞り加工による絞り込みの形状を有している。これは、裏面（底面）側から見ると、モータフレーム部分１３−２が裏面（底面）側に突出した構造である。モータフレーム部分１３−２には、裏面（底面）側から見た場合に頂上面となる部分に、スピンドルモータ３００のリード線を引き出すための開口部１３−２ａが形成されている。
【００２６】
尚、図３に示されたモータフレーム部分１３−２の絞り込み形状は、円形をしているが、これに限定されず、深さや材質により多角形、楕円形であっても良い。また、フレーム部分１３−２の絞り込み形状における絞り逃げ形状も、図示のものに限定されず、種々の形状であっても良い。さらに、モータフレーム部分１３−２とメインフレーム１３−１との繋ぎ方も図示のものに限定されないのは勿論である。
【００２７】
図示のフレキシブルディスクドライブは、スピンドルモータ３００の駆動を制御するために必要な周波数発生パターンを削除すること、すなわち、それを形成するためのプリント配線基板を削除することにより、上述のような形状のメインフレーム１３の採用を可能にしている。また、周波数発生パターンを削除することにより、スピンドルモータ３００のロータの永久磁石の底面部に施されているモータサーボ用着磁も不要となっている。その代わりに、図示のフレキシブルディスクドライブは、周波数発生パターンを用いた場合と等価な機能を発揮する電子的処理手段を備えている。なお、このような電子的処理手段の詳しい動作については、前述した特開２００１−１７８１８５号公報に開示されているので、ここではその説明を省略する。
【００２８】
図示のフレキシブルディスクドライブのメインプリント配線基板３０は、メインフレーム１３のメインフレーム部分１３−１の裏面側に取り付けられる。図３に示されるように、このメインプリント基板３０は、モータフレーム部分１３−２に重ならない形状を有している。そして、メインプリント配線基板３０は、その表面３０ａがメインフレーム部分１３−１の裏面から所定の距離だけ離れた状態で、その裏面３０ｂがモータフレーム部分１３−２の頂上面よりもメインフレーム部分１３−１の裏面に近く（低く）なるように、メインフレーム部分１３−１から切り起こされ、その先端部にネジ穴が形成された支持片（図示せず）にネジ３３で固定される。
【００２９】
以上の様な構成により、本発明者によって提案されたフレキシブルディスクドライブは、部品点数の削減と、組立工程の削減を実現している。
【００３０】
【発明が解決しようとする課題】
上述したように、フレキシブルディスクドライブは、その前面にフロントパネルが取り付けられる。ところが、パソコンメーカーでは、パソコンの筐体の一部を、そのままフレキシブルディスクドライブのフロントパネルとして利用したい場合がある。この様な場合、フレキシブルディスクドライブは、フロントパネルが取り付けられていない状態、即ち、図４のものにイジェクトボタンとアッパーカバーを取り付けた状態、で出荷される。
【００３１】
フロントパネルが取り付けられている状態では、イジェクトボタンに想定外の外力、即ち、その移動方向（前後方向）と異なる方向の外力（特に下向きの外力）が加わえらたとしても、イジェクトボタンがフロントパネルの角穴の縁に突き当たり、その移動は阻止される。従って、イジェクトボタンに外力が加えられたことによって、イジェクトプレートが塑性変形するようなことは、ほとんどない。
【００３２】
一方、フロントパネルが取り付けられていない状態では、イジェクトボタンに想定外の方向から外力が加えられると、イジェクトボタンを支えるものが存在しないので、イジェクトプレート（特に突起２１４の付け根付近）が塑性変形してしまうことが多々あるという問題点が有る。そして、これは、パソコン等へのフレキシブルディスクドライブの組み込みを困難又は不可能にするという問題をもたらす。
【００３３】
そこで、本発明は、フロントパネルが取り付けられていなくても、イジェクトボタンに加えられた外力によるイジェクトプレートの塑性変形を防止することができるフレキシブルディスクドライブのイジェクトボタンのガイド構造を提供することを目的とする。
【００３４】
【課題を解決するための手段】
本発明の一態様によれば、上面及び下面を備えるメインフレーム（１３Ａ）と、該メインフレームの上面側に前後方向へ移動可能に配設されるイジェクトプレート（２１Ａ）と、該イジェクトプレートに取り付けられるイジェクトボタン（２８Ａ）と、前記メインフレームの下面を覆うためのロアカバー（７０Ａ）とを備えたＦＤＤに用いられるＦＤＤイジェクトボタンガイド構造において、前記イジェクトボタンの側面に前後方向に延びる溝又はスリット（２８４）を設けるとともに、前記メインフレーム又は前記ロアカバーに、前記溝又はスリット内にその一部が侵入して前記イジェクトボタンをガイドするためのガイド片（７０６）を設けたことを特徴とするＦＤＤイジェクトボタンガイド構造が得られる。
【００３５】
上記ＦＤＤイジェクトボタンガイド構造において、前記ガイド片は、前記メインフレーム又は前記ロアカバーから切り起こされて形成されている。
【００３６】
より具体的には、前記ガイド片は、前記イジェクトボタンの底面に接触又は所定の距離を置いて対向するように形成されている。
【００３８】
なお、上記括弧内の参照符号は、本発明の理解を容易にするために記載したものであって、本発明を何ら限定するものではない。
【００３９】
【発明の実施の形態】
以下、本発明の実施の形態について図面を参照して詳細に説明する。
【００４０】
図５乃至図７を参照して、本発明の一実施の形態に係るイジェクトボタンガイド構造が適用されるフレキシブルディスクドライブについて説明する。
【００４１】
図５はフレキシブルディスクドライブに用いられるメインフレーム１３Ａの斜視図である。図６は図５に図示したメインフレーム１３Ａの下面（底面）を覆うロアカバー（下蓋）７０Ａの斜視図である。図７は図５に図示したメインフレーム１３Ａと図１４に図示したロアカバー７０Ａとを組み合わせた状態の斜視図である。
【００４２】
図５から明らかなように、図示のメインフレーム１３Ａは、磁気ヘッド１４（図１）を保持するキャリッジアセンブリ１５（図１）と、このキャリッジアセンブリ１５を所定の半径方向Ｃに沿って摺動させるためのステッピングモータ１６（図１）と、挿入されたフレキシブルディスクを回転駆動するためのスピンドルモータ３００（図１）の実質的に半分に相当する部分のみとを搭載する寸法を有している。すなわち、メインフレーム１３Ａは、フレームの前方部が削除された構造を有している。
【００４３】
ここで、キャリッジアセンブリ１５やステッピングモータ１６、スピンドルモータ３００等は、フレキシブルディスクドライブを構成する部品の中で、その機能を発揮（特性を維持）する上で比較的高い精度が要求される部品（以下、「高精度部品」と呼ぶ。）である。本実施の形態では、このような高精度部品をメインフレーム１３Ａ上に搭載するようにしている。
【００４４】
メインフレーム１３Ａにおいてフレームの前方部の構造を削除したので、この部分を何らかの形（手段）で補う必要がある。そこで、本発明では、ロアカバー７０Ａに、この削除したフレームの前面部に相当する機能をもつサブフレームとしての機能を持たせるようにした。この削除したフレームの前方部に相当する機能には、イジェクト機構のスライドガイド構造部分などがある。このイジェクト機構のスライドガイド構造部分は、フレキシブルディスクドライブを構成する部品の中で、その機能を発揮（特性を維持）する上で比較的精度が低くても良い部品（以下、「低精度部品」と呼ぶ。）である。
【００４５】
図６に示すように、ロアカバー７０Ａは、主表面７００と、この主表面の両側端で互いに対向した一対の側壁７０１とを有する。イジェクト機構のスライドガイド構造部分を構成するため、主表面７００は、その前方部に上方に盛り上がった第１及び第２の盛り上がり部７０２，７０４を持つ。第２の盛り上がり部７０４は、挿入方向Ａに延在するＬ字形の開口７０４ａを持つ。また、ロアカバー７０Ａの一対の側壁７０１は、互いに内側へ切り起こして形成された一対のサイドストッパー７０３を持つ。さらに、ロアカバー７０Ａの主表面７００は、その右側前方部で上方に突出するように切り起こして形成された曲げ部７０５を持つ。この曲げ部７０５は、後述のイジェクトプレート２１Ａの下面に当接する肩７０５ａと、Ｌ字形のフック部７０５ｂとを持つ。
【００４６】
図５のメインフレーム１３Ａとロアカバー７０Ａとを組み合わせると図７のようになる。このメインフレーム１３Ａの上には、後述のイジェクトプレート２１Ａが設けられる。前述したように、メインフレーム１３Ａには、フレームの前面部の構造がないので、単に、イジェクトプレート２１Ａをメインフレーム１３Ａ上に設置しただけでは、衝撃等でのイジェクトプレート２１Ａの撓りや変形等の発生を防止することができない。そこで、本発明では、イジェクトプレート２１Ａが変形してイジェクト動作が不具合になるのを防止するための工夫を、上述したロアカバー７０Ａと、イジェクトプレート２１Ａとに施している。
【００４７】
詳述すると、イジェクトプレート２１Ａは、図８に示すように、その前端に下方に突出する第１の突起２１５を持つ。この第１の突起２１５は、僅かの隙間を空けてロアカバー７０Ａの第１の盛り上がり部７０２の上方に配置される。換言すれば、イジェクトプレート２１Ａが摺動する間、第１の突起２１５は、第１の盛り上がり部７０２上を隙間を空けて移動することになる。なお、イジェクトプレート２１Ａは、ロアカバー７０Ａのサイドストッパー７０３上を摺動する。
【００４８】
また、イジェクトプレート２１Ａは、その前端で下方に突出する第２の突起２１６を持つ。この第２の突起２１６は、ロアカバー７０Ａの第２の盛り上がり部７０４に当接する肩２１６ａと、Ｌ字形の開口７０４ａに挿入されるＬ字形のフック部２１６ｂとを持つ。すなわち、第２の盛り上がり部７０４と第２の突起２１６との組合わせによって、１つのスライドガイド構造部分が構成されている。
【００４９】
さらに、イジェクトプレート２１Ａは、その底面の右側前面部で挿入方向Ａに延在するＬ字形の開口２１７ａを持つ。開口２１７ａには、ロアカバー７０ＡのＬ字形のフック部７０５ｂが挿入される。すなわち、イジェクトプレート２１ＡのＬ字形の開口２１７ａと曲げ部７０５との組合せによって、もう１つのスライドガイド構造部分が構成されている。
【００５０】
このようにして、本実施の形態では、メインフレーム１３Ａとサブフレームとして働くロアカバー７０Ａとの組み合わせによって１つのフレームとして機能を果たすようにしている。
【００５１】
さて、図８を参照すると、イジェクトプレート２１Ａは、さらにその前端部に、イジェクトボタンを取り付けるための突起２１４ａを備えている。この突起２１４ａは、一対のアーム２１８と、それを支持する基部２１９とを含む。また、基部２１９には、従来と同様、イジェクトボタンのフック部と係合する開口が形成されている。
【００５２】
図９に、本実施の形態に用いられるイジェクトボタン２８Ａを示す。図９のイジェクトボタン２８Ａは、イジェクトプレート２１Ａのアーム２１８を受け入れるための空間を規定する。また、イジェクトボタン２８Ａは、イジェクトプレート２１Ａの基部２１９に形成された開口に挿入される一対の突起２８１，２８２を有している。突起２８２の先端には、基部２１９の開口に挿入され係合するフック部２８３が形成されている。突起２８１及び２８２を基部２１９に形成された開口へ挿入する際に、突起２８２が変形可能であるように、突起２８２と２８３との間にはギャップが形成され、また、突起２８３の付け根には一対のスリットが形成されている。また、イジェクトボタン２８Ａの一方の側壁には、スリット２８４が形成されている。このスリット２８４は、イジェクトプレートの移動方向と平行となるよう形成されている。なお、スリット２８４の長さを所定の長さ以上にするために、このイジェクトボタンのスリット２８４が形成された側壁は、他方の側壁より長く構成されている。
【００５３】
再び、図６（又は図７）を参照すると、ロアケース７０Ａの前端部であって、イジェクトボタン２８Ａに対応する位置には、第１及び第２のガイド片７０６及び７０７が、切り起こし（及び曲げ）により形成されている。
【００５４】
第１のガイド片７０６は、Ｌ字型に折り曲げられており、図１０に示すように、その先端の少なくとも一部がイジェクトボタン２８Ａのスリット２８４内に位置するように形成されている。他方、第２のガイド片７０７は、図１１に示すように、その先端がイジェクトボタン２８Ａの底面にわずかに隙間を空けて対向するように形成されている。ガイド片７０６及び７０７は、イジェクトプレート２１Ａが、フレキシブルディスクドライブの前後方向に自由に移動できるよう、イジェクトボタン２８Ａに接触しないことが望ましいが、わずかに接する程度であれば実用上問題はない。
【００５５】
イジェクトプレートが前後方向に移動する際、ガイド片７０６は、スリット２８４内をその長さ方向に沿って移動する。また、ガイド片７０７は、所定の距離を保ったまま、イジェクトボタン２８Ａの底面に対向する。
【００５６】
イジェクトボタン２８Ａに、前後方向とは異なる方向の外力、特に下向きの外力が加えられると、イジェクトプレートが僅かに弾性変形し、イジェクトボタン２８Ａがほんのわずかに移動する。このとき、ガイド片７０６及び７０７は、イジェクトボタン２８Ａに接触支持し、その外力による移動を妨げる。これによって、イジェクトプレート２１Ａの塑性変形が防止される。
【００５７】
本発明は上述した実施の形態に限定せず、本発明の趣旨を逸脱しない範囲内で種々の変更・変形が可能なのは勿論である。例えば、本発明は、図１の構成を有するフレキシブルディスクドライブにも適用可能である。この場合、ガイド片７０６及び７０７は、メインフレームに形成することもできる。また、上記実施の形態では、２つのガイド片７０６及び７０７を設けたが、いずれか一方だけを設けるようにしてもよい。また、上記実施の形態では、イジェクトボタン２８Ａにガイド片７０６に対応するスリット２８４を設けるようにしたが、スリットに代えて溝を形成してもよい。
【００５８】
【発明の効果】
本発明によれば、メインフレーム又はロアカバーに、イジェクトボタンをガイドするためのガイド片を設け、このガイド片に、イジェクトボタンに外力が加えられたときにイジェクトボタンを支持させるようにしたことで、フロントパネルがなくても、イジェクトプレートの塑性変形を防止することができる。
【図面の簡単な説明】
【図１】発明者が以前提案した３．５インチ型フレキシブルディスクドライブの主要部の分解斜視図である。
【図２】図１のフレキシブルディスクドライブの主要部にロアカバーとフロントパネルを取り付けた状態を示す斜視図である。
【図３】図１のフレキシブルディスクドライブに用いられるメインフレームとメインプリント配線基板とを示す斜視図である。
【図４】図２のフレキシブルディスクドライブからフロントパネルを取り去った状態を示す斜視図である。
【図５】本発明の一実施の形態に係るイジェクトボタンガイド構造が適用されるフレキシブルディスクドライブに用いられるメインフレームの斜視図である。
【図６】図５のメインフレームと組み合わされるロアカバーの斜視図である。
【図７】図５のメインフレームと図６のロアカバーとを組み合わせた状態を示す斜視図である。
【図８】図５のメインフレーム及び図６のロアカバーと組み合わされるイジェクトプレートを示す斜視図である。
【図９】図８のイジェクトプレートに取り付けられるイジェクトボタンの斜視図である。
【図１０】図９のイジェクトボタンとガイド片との位置関係を示す図である。
【図１１】図９のイジェクトボタンと他のガイド片との位置関係を示す図であって、底面側から見た斜視図である。
【符号の説明】
１３Ａ      メインフレーム
２１Ａ      イジェクトプレート
２８Ａ      イジェクトボタン
２８１，２８２      突起
２８３      フック部
２８４      スリット
７０Ａ      ロアカバー
７０６，７０７      ガイド片
【図１】
0003994268.tif 000002
【図２】
0003994268.tif 000003
【図３】
0003994268.tif 000004
【図４】
0003994268.tif 000005
【図５】
0003994268.tif 000006
【図６】
0003994268.tif 000007
【図７】
0003994268.tif 000008
【図８】
0003994268.tif 000009
【図９】
0003994268.tif 000010
【図１０】
0003994268.tif 000011
【図１１】
0003994268.tif 000012